(57)【要約】【課題】利用可能な基地局を識別しつつ消費電力をさらに低減できるようにする。【解決手段】実施形態の無線ユニットは、基地局から送信される当該基地局の識別情報を受信する第１の無線モジュールと、この第１の無線モジュールより少ない消費電力により動作し上記基地局から送信される標識信号を受信する第２の無線モジュールと、制御モジュールとを具備する。第２の無線モジュールでは、受信電力が閾値以上の標識信号の有無が判定され、この閾値以上の標識信号を表す情報を含む標識検出情報が上記制御モジュールへ出力される。制御モジュールでは、第２の無線モジュールから出力された標識検出情報に新規の標識信号を表す情報が含まれている場合に第１の無線モジュールを一定期間動作させ、この動作期間に第１の無線モジュールにより受信された基地局の識別情報と、第２の無線モジュールで検出された標識信号を表す情報とを対応付ける処理が行われる。【選択図】図２
2012165250.tif 000002
【特許請求の範囲】
【請求項１】
予め決められた範囲にサービスエリアを形成する基地局との間で無線通信を行う無線ユニットにおいて、
前記基地局から送信される当該基地局の識別情報を受信する第１の無線モジュールと、
前記第１の無線モジュールより少ない消費電力により動作し、前記基地局から送信される標識信号を受信する第２の無線モジュールと、
前記第１及び第２の無線モジュールと接続される制御モジュールと
を具備し、
前記第２の無線モジュールは、
前記標識信号の受信電力を検出し、この検出された受信電力が予め設定された閾値以上か否かを判定する判定手段と、
前記受信電力が閾値以上と判定された標識信号が検出された場合に、当該検出された標識信号を表す情報を含む標識検出情報を前記制御モジュールへ出力する出力手段と
を備え、
前記制御モジュールは、
前記第２の無線モジュールから出力された標識検出情報を受け取る手段と、
前記受け取った標識検出情報に新規の標識信号を表す情報が含まれている場合に、前記第１の無線モジュールを一定期間動作させる手段と、
前記動作期間中に前記第１の無線モジュールにより受信された識別情報を、当該第１の無線モジュールから受け取る手段と、
前記受け取った識別情報と、前記受け取った標識検出情報に含まれる標識信号を表す情報とを対応付け、その対応関係を表す情報を記憶する対応付け処理手段と
を備える無線ユニット。
【請求項２】
前記第２の無線モジュールの出力手段は、前記検出された標識信号を表す情報として、当該標識信号の受信電力値、受信タイミング及び受信順序のうち少なくとも一つを表す情報を標識検出情報に含めて前記制御モジュールへ出力し、
前記制御モジュールの対応付け処理手段は、前記受け取った識別情報と前記検出された標識信号を表す情報とを、当該標識信号の受信電力値、受信タイミング及び受信順序のうち少なくとも一つを表す情報に基づいて対応付けるものである請求項１記載の無線ユニット。
【請求項３】
前記制御モジュールは、
前記記憶された対応関係を表す情報に基づいて前記基地局の利用の可否を判定する手段と、
前記基地局の利用の可否の判定結果を表す情報を表示する表示手段と
を、さらに備える請求項１記載の無線ユニット。
【請求項４】
前記制御モジュールに移動通信端末装置が接続される場合に、
前記制御モジュールは、前記記憶された対応関係を表す情報に基づいて前記基地局の利用の可否を判定し、その判定結果を表す通知情報を前記移動通信端末装置へ出力する手段を、さらに備える請求項１記載の無線ユニット。
【請求項５】
アンテナと、前記第１及び第２の無線モジュールのいずれか一方を前記アンテナに接続する切替回路とをさらに具備し、
前記制御モジュールは、前記第１の無線モジュールの動作期間中に当該第１の無線モジュールを前記アンテナに接続し、その他の期間に前記第２の無線モジュールを前記アンテナに接続するべく前記切替回路を切替制御する手段と
を、さらに備える請求項１記載の無線ユニット。
【請求項６】
アンテナと、このアンテナにより受信された無線信号を前記第１及び第２の無線モジュールに分配する分配回路とをさらに具備し、
前記制御モジュールの対応付け処理手段は、前記第１の無線モジュールの動作期間中に当該第１の無線モジュールにより受信された識別情報と、前記第１の無線モジュールの動作期間と同一期間に前記第２の無線モジュールにより検出された標識信号を表す情報とを対応付ける請求項１記載の無線ユニット。
【請求項７】
前記制御モジュールは、
信号の送信を要求する無線信号を前記第１の無線モジュールから前記基地局に向けて送信させる手段と、
前記信号の送信を要求する無線信号に応答して前記基地局から送信され前記第１の無線モジュールにより受信された識別情報と、前記信号の送信を要求する無線信号に応答して前記基地局から送信され前記第２の無線モジュールにより検出された標識信号を表す情報とを対応付ける手段を、さらに備える請求項１記載の無線ユニット。
【請求項８】
前記第２の無線モジュールとアンテナとの間に設けられたスイッチを、さらに具備し、
前記制御モジュールは、前記第１の無線モジュールが無線信号を送信する期間に、前記第２の無線モジュールを前記アンテナから切り離すように前記スイッチを制御する手段を、さらに備える請求項１記載の無線ユニット。
【請求項９】
前記第２の無線モジュールによる標識信号の受信感度を、前記第１の無線モジュールによる識別情報の受信感度より低く設定した請求項１記載の無線ユニット。
【請求項１０】
予め決められた範囲にサービスエリアを形成する基地局との間で無線通信を行う移動通信端末装置において、
前記基地局から送信される当該基地局の識別情報を受信する第１の無線モジュールと、
前記第１の無線モジュールより少ない消費電力により動作し、前記基地局から送信される標識信号を受信する第２の無線モジュールと、
前記第１及び第２の無線モジュールと接続される制御モジュールと、
前記制御モジュールに接続それる表示モジュールと
を具備し、
前記第２の無線モジュールは、
前記標識信号の受信電力を検出し、この検出された受信電力が予め設定された閾値以上か否かを判定する判定手段と、
前記受信電力が閾値以上と判定された標識信号が検出された場合に、当該検出された標識信号を表す情報を含む標識検出情報を前記制御モジュールへ出力する出力手段と
を備え、
前記制御モジュールは、
前記第２の無線モジュールから出力された標識検出情報を受け取る手段と、
前記受け取った標識検出情報に新規の標識信号を表す情報が含まれている場合に、前記第１の無線モジュールを一定期間動作させる手段と、
前記動作期間中に前記第１の無線モジュールにより受信された識別情報を、当該第１の無線モジュールから受け取る手段と、
前記受け取った識別情報と、前記受け取った標識検出情報に含まれる標識信号を表す情報とを対応付け、その対応関係を表す情報を記憶する対応付け処理手段と、
前記記憶された対応関係を表す情報に基づいて前記基地局の利用の可否を判定する手段と、
前記基地局の利用の可否の判定結果を表す情報を前記表示モジュールに表示させる手段と
を備える移動通信端末装置。
【発明の詳細な説明】
【技術分野】
【０００１】
この発明の実施形態は、ネットワークに収容される基地局との間で無線通信を行う無線ユニットと、この無線ユニットを備えた移動通信端末装置に関する。
【背景技術】
【０００２】
移動通信端末装置に搭載される無線ユニットにおいては、基地局が形成するサービスエリアを検知するために、周辺の基地局をサーチするいわゆるエリアサーチ処理が行われる。このエリアサーチ処理は、待ち受け状態において常時又は間欠的に行う必要があるため、その消費電力を如何に低減するかが重要な課題となっている。
【０００３】
そこで、無線装置に超省電力受信機を設け、待ち受け状態においてこの超省電力受信機のみを動作させ、他の無線装置から送信される無線信号をこの超省電力受信機が受信した場合に、無線装置の主たる送受信機を動作させて通信を開始する技術が提案されている（例えば特許文献１を参照）。
【先行技術文献】
【特許文献】
【０００４】
【特許文献１】特開２０１０−８８１０１号公報
【発明の概要】
【発明が解決しようとする課題】
【０００５】
ところが、超省電力受信機は基地局が送信する無線信号を単に受信する機能しか有しておらず、当該無線信号を送信した基地局がどの基地局なのかを識別することはできない。このため、無線信号が受信されるごとに主たる送受信機を動作させ、当該基地局が送信している識別情報を受信して送信元の基地局を識別する必要がある。したがって、依然として無線装置全体の消費電力は大きく、さらなる低消費電力化が要望されている。
【０００６】
この発明は上記事情に着目してなされたもので、その目的とするところは、利用可能な基地局を識別しつつ消費電力をさらに低減できるようにした無線ユニットとこの無線ユニットを備えた移動通信端末装置を提供することにある。
【課題を解決するための手段】
【０００７】
実施形態によれば、予め決められた範囲にサービスエリアを形成する基地局との間で無線通信を行う無線ユニットにおいて、前記基地局から送信される当該基地局の識別情報を受信する第１の無線モジュールと、前記第１の無線モジュールより少ない消費電力により動作し前記基地局から送信される標識信号を受信する第２の無線モジュールと、前記第１及び第２の無線モジュールと接続される制御モジュールとを具備する。前記第２の無線モジュールは、前記標識信号の受信電力を検出しこの検出された受信電力が予め設定された閾値以上か否かを判定する判定手段と、前記受信電力が閾値以上と判定された標識信号が検出された場合に当該検出された標識信号を表す情報を含む標識検出情報を前記制御モジュールへ出力する出力手段とを備える。また前記制御モジュールは、前記第２の無線モジュールから出力された標識検出情報を受信する手段と、前記受信された標識検出情報に新規の標識信号を表す情報が含まれている場合に前記第１の無線モジュールを一定期間動作させる手段と、前記動作期間中に前記第１の無線モジュールにより受信された制御データに含まれる識別情報を当該第１の無線モジュールから受け取る手段と、前記受け取った識別情報と、前記受信された標識検出情報に含まれる標識信号を表す情報とを対応付け、その対応関係を表す情報を記憶する対応付け処理手段とを備える。
【図面の簡単な説明】
【０００８】
【図１】第１の実施形態に係る移動通信端末装置が利用する移動通信システムの概略構成図。
【図２】第１の実施形態に係る移動通信端末装置の構成を示すブロック図。
【図３】図２に示した装置の低消費電力無線モジュール及び無線モジュールによるエリアサーチ処理の手順と処理内容を示すフローチャート。
【図４】図２に示す低消費電力無線モジュールによるビーコンサーチ処理の処理内容を説明するための図。
【図５】図４に示したビーコンサーチ処理により得られるサーチ結果の情報と、新規ビーコン及び消失ビーコンの検知動作を説明するための図。
【図６】図２に示す無線モジュールによるＳＳＩＤのサーチ結果リストを示す図。
【図７】ビーコンサーチ結果とＳＳＩＤサーチ結果とを対応付けたリストの第１の例を示す図。
【図８】ビーコンサーチ結果とＳＳＩＤサーチ結果とを対応付けたリストの第２の例を示す図。
【図９】ビーコンサーチ結果とＳＳＩＤサーチ結果とを対応付けたリストの第３の例を示す図。
【図１０】ビーコンサーチ結果とＳＳＩＤサーチ結果とを対応付けたリストの第４の例を示す図。
【図１１】ビーコンサーチ結果とＳＳＩＤサーチ結果とを対応付けたリストの第５の例を示す図。
【図１２】第２の実施形態に係る移動通信端末装置の概略構成図。
【図１３】図１２に示した移動通信端末装置によるビーコンサーチ及びＳＳＩＤ取得期間を表すタイミング図。
【図１４】第３の実施形態に係る移動通信端末装置の概略構成図。
【図１５】第４の実施形態に係る移動通信端末装置の概略構成図。
【発明を実施するための形態】
【０００９】
以下、図面を参照して実施形態を説明する。  
［第１の実施形態］
図１は、第１の実施形態に係る移動通信端末装置が利用する移動通信システムを示すもので、ここでは無線ＬＡＮ（Local Area Network）を例示している。  
無線ＬＡＮは、サービスエリアに複数の基地局（以後アクセスポイントと呼称する）ＡＰ１〜ＡＰｎを分散配置し、これらのアクセスポイントＡＰ１〜ＡＰｎによりそれぞれサービスエリアを形成する。移動通信端末装置ＭＳは、これらのアクセスポイントＡＰ１〜ＡＰｎのサービスエリアをサーチし、このサーチ結果をもとに通信可能なアクセスポイントを選択して当該アクセスポイントとの間で無線通信を行う。なお、移動通信システムとしては、無線ＬＡＮに限定されるものではなく、Bluetooth（登録商標）やWiMAX（登録商標）等のように同様の無線通信方式を採用する他のシステムであってもよい。
【００１０】
図２は、上記移動通信端末装置ＭＳの構成を示すブロック図である。この移動通信端末装置ＭＳは、無線モジュール群１と、低消費電力無線モジュール２と、携帯端末本体３とから構成される。
【００１１】
移動通信端末装本体３は、例えば携帯電話機やスマートホン、ＰＤＡ（Personal Digital Assistant）、電子書籍端末、携帯可能なノート型のパーソナル・コンピュータからなり、ホストＣＰＵ（Central Processing Unit）としての機能を有する主制御ユニット３０と、この主制御ユニット３０に対し図示しない表示インタフェースを介して接続される表示部３１を備えている。表示部３１は、例えば液晶表示器（ＬＣＤ：Liquid Crystal Display）又は有機ＥＬ表示器を用いた表示デバイスを有する。
【００１２】
無線モジュール群１は、複数の無線モジュール１１〜１ｎと、制御回路１０とを備える。無線モジュール１１〜１ｎは、例えば無線ＬＡＮ用のモジュール、Bluetooth用のモジュール、WiMAX用のモジュールであり、それぞれが無線モジュール回路１１１〜１１ｎと、高精度基準周波数発生回路１２１〜１２ｎと、電源回路１３１〜１３ｎと、電源スイッチ１４１〜１４ｎと、アンテナ１５１〜１５ｎを備えている。
【００１３】
電源回路１３１〜１３ｎは無線モジュール回路１１１から１１ｎが動作するために必要な電力を生成し、この生成された電力を電源スイッチ１４１〜１４ｎを介して無線モジュール回路１１１〜１１ｎに供給する。電源スイッチ１４１〜１４ｎは、制御回路１０から出力される電源オン／オフ制御信号によりオン／オフ動作する。
【００１４】
上記無線モジュール１１〜１ｎのうち、無線ＬＡＮ用のモジュール１１は以下のように構成される。すなわち、無線ＬＡＮモジュール１１はWiFi（登録商標）モジュールと呼ばれ、その無線モジュール回路１１１は上記電源回路１３１から電力が供給されている期間に送受信動作を行う。そして、アクセスポイントＡＰ１〜ＡＰｎが送信する当該アクセスポイントの識別情報（ＳＳＩＤ）をアンテナ１５１を介して受信し、この受信したＳＳＩＤをもとに接続可能な基地局を選択して、この選択した基地局との間で無線ＬＡＮ通信を行う。高精度基準周波数発生回路１２１は、上記無線モジュール回路１１１の送受信動作に必要な同期クロックを生成して無線モジュール回路１１１に供給する。
【００１５】
低消費電力無線モジュール２は、上記無線モジュール１１〜１ｎと比較して消費電力が低くなるように構成されたエコチップ（Eco Chip）と呼ばれ、アクセスポイントＡＰ１〜ＡＰｎが標識信号として送信しているビーコンを検出するために用いられる。
【００１６】
低消費電力無線モジュール２は、低消費電力無線モジュール回路２１と、基準周波数発生回路２２と、電源回路２３と、アンテナ２５と、アンテナスイッチ２６を備えている。電源回路２３は、低消費電力無線モジュール回路２１の受信動作に必要な電力を生成し低消費電力無線モジュール回路２１に供給する。基準周波数発生回路２２は、低消費電力無線モジュール回路２１の受信動作に必要な基準クロック（例えば32.768KHz）を生成し低消費電力無線モジュール回路２１に供給する。
【００１７】
低消費電力無線モジュール回路２１は、アナログ処理部とディジタル処理部２４とを有する。アナログ処理部は、ＲＦ信号受信部２１１と、ダウンコンバータ２１２と、ベースバンド増幅回路及びコンパレータ２１３とを有する。ＲＦ信号受信部２１１は、アンテナ２５により受信された無線信号を低雑音増幅したのち所望の帯域のみを通過させる。ダウンコンバータ２１２は、上記ＲＦ信号受信部２１１から出力された無線信号の周波数をベースバンド周波数に周波数変換することにより包絡線検波されたベースバンド信号を出力する。ベースバンド増幅回路及びコンパレータ２１３は、上記包絡線検波されたベースバンド信号の信号レベルを自動利得制御増幅器により調整したのち、複数のコンパレータによりそれぞれ異なる参照電圧と比較して信号レベルを判定する。
【００１８】
ディジタル処理部２４は、信号識別部２４１と、記憶部２４２と、制御信号出力部２４３を有する。信号識別部２４１は、以下の処理機能を有している。  
(1) 上記ベースバンド増幅回路及びコンパレータ２１３から信号レベルの判定結果を表す信号を取り込み、この信号をアクセスポイントＡＰ１〜ＡＰｎのビーコン送信周期に応じて設定した時間長（例えば102.4msec）を有するサーチウィンドウごとに区切って記憶部２４２に記憶させる処理。  
このとき記憶部２４２は、上記サーチウィンドウの時間長（例えば102.4msec）に対応する数のポジション（例えば512個）を有するレジスタを複数個有し、上記信号識別部２４１によりサーチウィンドウごとに区切られた信号をそれぞれレジスタに記憶する。
【００１９】
(2) 上記複数のレジスタに記憶された信号をそれぞれ読み出し、同一のポジション同士で累積加算し、この累積加算データを記憶部２４２内の累積メモリに記憶させる。そして、この累積加算データの信号値を予め設定された閾値と比較し、この閾値を超える受信信号レベルを有するビーコンを検出してその検出データをサーチ結果リストとして記憶部２４２内のサーチ結果リストメモリに記憶させる処理。
【００２０】
制御信号出力部２４３は、上記信号識別部２４１により受信信号レベルの累積加算値が閾値以上のビーコンが検出された場合に、その判定結果を表す情報を、サーチ結果リスト及び受信信号レベル（受信電力値）を表すデータと共に無線モジュール群１の制御回路１０へ送る。
【００２１】
ところで、制御回路１０は例えばマイクロコンピュータにより構成され、次の制御機能を有している。  
(1) 上記低消費電力無線モジュール２から判定結果を表す情報が送られるごとに、この判定結果情報と同時に送られるサーチ結果リスト及び受信信号レベル（受信電力値）を表すデータを制御回路内部のメモリに順次記憶する処理。
【００２２】
(2) 上記内部メモリに最新のサーチ結果リストが記憶されると、当該最新のサーチ結果リストをメモリに記憶されている過去のサーチ結果リストと比較し、これにより上記最新のサーチ結果リストについて、新規ビーコンの検出情報が含まれているか、ビーコンが消失したか、検出中のビーコンに変化がないかを判定する処理。
【００２３】
(3) 上記判定処理によりビーコンが検出された場合に、無線モジュール回路１１１に対し電源回路１３１から電源電圧を供給して当該無線モジュール回路１１１を動作状態に設定する。そして、この動作期間に無線モジュール回路１１１において受信されたアクセスポイントのＳＳＩＤを当該無線モジュール回路１１１から受け取り、この受け取り終了後に当該無線モジュール回路１１１への電源供給を遮断して当該無線モジュール回路１１１を動作停止状態に復旧させる処理。
【００２４】
(4) 上記取得したアクセスポイントのＳＳＩＤと、先に低消費電力無線モジュール２から受け取ったサーチ結果リストに含まれるビーコンの検出情報とを対応付け、このＳＳＩＤとビーコンの検出情報との対応関係を表す情報を制御回路１０内部のメモリに記憶する処理。
【００２５】
(5) 上記内部メモリに記憶された、ＳＳＩＤとビーコンの検出情報との対応関係を表す情報に基づいて利用可能なアクセスポイントの有無を判定し、利用可能なアクセスポイントがある場合にはその旨の通知情報を生成して携帯端末本体３の主制御ユニット３０へ出力する処理。
【００２６】
(6) 上記無線モジュール回路１１１が、例えばアクセスポイントＡＰ１〜ＡＰｎに対しＳＳＩＤの送信を要求するための信号を送信する場合に、その送信期間において低消費電力無線モジュール２のアンテナスイッチ２６をオフに設定し、これにより上記無線モジュール回路１１１が送信した無線信号が低消費電力無線モジュール２の低消費電力無線モジュール回路２１に入力されないようにする処理。
【００２７】
次に、以上のように構成された移動通信端末装置ＭＳの動作を説明する。  
なお、ここでは低消費電力無線モジュール２と無線ＬＡＮ用の無線モジュール１１を用いて、無線ＬＡＮのアクセスポイントＡＰ１〜ＡＰｎと通信を行う場合を例にとって説明する。図３は、このときの低消費電力無線モジュール２及び制御回路１０の処理手順と処理内容を示すフローチャートである。
【００２８】
（１）低消費電力無線モジュール２によるビーコンサーチ処理
低消費電力無線モジュール２の低消費電力無線モジュール回路２１は、例えば制御回路１０の制御の下でビーコンの間欠受信動作を行う。すなわち、ステップＳ１１においてビーコンのサーチ開始時刻になったか否かを監視し、サーチ開始時刻になるとステップＳ１２により以下のようにビーコンサーチ処理を実行する。
【００２９】
すなわち、ディジタル処理部２４の信号識別部２４１は、アクセスポイントＡＰ１〜ＡＰｎのビーコン送信周期（102.4msec）をサーチウィンドウとして、ベースバンド増幅回路及びコンパレータ２１３から出力される受信ベースバンド信号から、ビーコンである可能性の高い信号の受信タイミングを検出する。
【００３０】
具体的には、例えば図４に示すようにサーチ幅102.4msec（アクセスポイントのビーコン送信周期）のサーチウィンドウを１つの受信プロファイルとし、複数の受信プロファイル（ａ）〜（ｃ）を記憶部２４２内のレジスタに順に格納したのち、これらの受信プロファイルを同じタイミングで受信した信号同士で順次加算して受信プロファイルの累積加算データ（ｄ）を得る。この信号処理は時間フィルタの役割を果たす。このため、ＣＳＭＤ／ＣＡ（Carrier Sense Multiple Access/Collision Avoidance）方式を採用している場合でも、アクセスポイントＡＰ１〜ＡＰｎが送信タイミングを変更しないと仮定すれば、サーチウィンドウと同一周期で送信されるビーコンだけが同一時間位置に出現するため、累積加算データが得られる。
【００３１】
これに対し、ランダムに発生する干渉波は、ビーコンに比べて相対的に抑制される。また、周期性が無くバースト的に発生するトラフィックデータは、バースト性を有することにより、サーチウィンドウと同一周期で存在する可能性は低く、ビーコンのように大きな累積加算値となることはない。
【００３２】
なお、図４に示したように、複数の受信プロファイルを加算することでビーコンを際だたせる手法以外にも、連続するサーチウィンドウ間で相関を取ることによりビーコンを際だたせる手法もある。これは、時間的に連続する受信プロファイルの同じタイミングの受信ベースバンド信号について論理積を求める、つまり実質的に累積するものである。このようにすることで、Ｈレベル信号が同じタイミングで連続する信号、すなわちビーコンである可能性の高い信号だけを得ることができる。
【００３３】
続いて信号識別部２４１は、ステップＳ１３において、上記累積加算データを予め設定した閾値と比較することによりサーチウィンドウの中からビーコンを検出する。例えば、いま累積加算データが図５（ａ）に示すものだったとすると、この累積加算データの中から閾値Th＝８を超える信号をビーコンとして検出する。そして、この検出結果を示すデータを図５（ｂ）に示すような現在のサーチ結果リストＬ２として記憶部２４２内のメモリに格納する。
【００３４】
なお、上記閾値Thは、無線ＬＡＮ信号のサンプル数（累積加算数）に応じて可変設定するようにしてもよい。また上記閾値Thは、ビーコンの受信タイミングがずれることによる影響を考慮して決めてもよい。つまり、受信タイミングのずれが頻発するような高トラヒックの環境では閾値Thを小さく設定し、そうでない場合は閾値Thを相対的に大きく設定する。
【００３５】
次に制御信号出力部２４３は、上記記憶部２４２に格納された現在のサーチ結果リストＬ２をもとに、ビーコンが検出されたか否かをステップＳ１４により判定する。そして、ビーコンが少なくとも一つ検出された場合には、ステップＳ１５により、当該ビーコンが検出されたことを示す情報を、上記現在のサーチ結果リストＬ２と、当該リストを得る元になった累積加算データと共に、無線モジュール群１の制御回路１０へ送る。
【００３６】
（２）検出されたビーコンの種類の判定処理
制御回路１０は、ステップＳ１６において上記判定結果の到来を監視している。この状態で、上記低消費電力無線モジュール２から判定結果を表す情報が送られると、ステップＳ１７において、当該判定結果を表す情報と共に送られるサーチ結果リストＬ２及び受信信号レベル（受信電力値）を表す累積加算データを受信し、これらを制御回路１０内部のメモリに格納する。
【００３７】
次に制御回路１０は、ステップＳ１８，Ｓ２５において、上記新たに受信した現在のサーチ結果リストＬ２を前回受信し記憶した過去のサーチ結果リストＬ１と比較し、これにより現在のサーチ結果リストＬ２について新規ビーコンの有無と消失ビーコンの有無を判定する。例えば、図５（ｂ），（ｃ）に示すように過去のサーチ結果リストＬ１に存在しなかったビーコンが現在のサーチ結果リストＬ２に存在する場合には、これを図５（ｄ）に示すように新規ビーコンと判定する。一方、図５（ｂ），（ｃ）に示すように過去のサーチ結果リストＬ１に存在したビーコンが現在のサーチ結果リストＬ２から消失している場合には、これを図５（ｅ）に示すように消失ビーコンと判定する。
【００３８】
（３）ＳＳＩＤのサーチ処理
現在のサーチ結果リストＬ２に新規ビーコンが存在すると判定されると、制御回路１０はステップＳ１９により無線モジュール１１を起動する。この無線モジュール１１の起動処理は、電源オン制御信号を出力して電源スイッチ１４１をオンとし、これにより電源回路１３１から無線モジュール回路１１１へ動作電力を供給することによりなされる。
【００３９】
無線モジュール回路１１１が受信動作状態になると、アクセスポイントＡＰ１〜ＡＰｎから送信される制御データがアンテナ１５１を介して受信され、当該制御データからＳＳＩＤが検出される。そして、この検出されたＳＳＩＤはステップＳ２０において制御回路１０に取り込まれ、制御回路１０内のＳＳＩＤサーチ結果用のメモリに格納される。
【００４０】
このＳＳＩＤのサーチ処理は、低消費電力無線モジュール２の基準周波数発生回路２２から発生される基準クロック（32. 768KHz）に同期して、１ビーコン送信期間（102.4msec）に渡り行われる。したがって、先に低消費電力無線モジュール２により得られたビーコンのサーチ結果リストＬ２に対し、サーチ開始タイミングとサンプリングタイミングが同期したＳＳＩＤのサーチ結果リストが得られる。このＳＳＩＤのサーチ結果リストは、制御回路１０内に設けられたレジスタに格納される。このレジスタも低消費電力無線モジュール２の記憶部２４２内に設けられたレジスタと同様に５１２個のポジションを有する。図６は、このようにして得られたＳＳＩＤのサーチ結果リストの一例を示すもので、同図においてａ，ｂ，ｃ，ｄ，ｅはアクセスポイントＡＰ１〜ＡＰｅのＳＳＩＤ名を表す。
【００４１】
上記１ビーコン送信期間（102.4msec）に渡るＳＳＩＤサーチ結果が得られると、制御回路１０はステップＳ２１により無線モジュール１１の動作を停止させる。この動作停止処理は、電源オフ制御信号を出力して電源スイッチ１４１をオフとし、これにより電源回路１３１から無線モジュール回路１１１へ動作電力の供給を遮断することにより行われる。
【００４２】
（４）ビーコン検出結果とＳＳＩＤ検出結果との対応付け処理
次に制御回路１０は、ステップＳ２２において、上記ＳＳＩＤサーチ結果と、先に低消費電力無線モジュール２により得られたビーコンのサーチ結果とを対応付けるための処理を行う。この対応付け処理には以下のような幾つかの実施例が考えられる。
【００４３】
（実施例１）
実施例１は、ＳＳＩＤのサーチ結果とビーコンのサーチ結果とを、その受信時刻に基づいて対応付けるものである。  
低消費電力無線モジュール２により得られたビーコンのサーチ結果リストＬ２は、サンプルタイミングをそのままレジスタのポジションに対応付けてリスト化したものであるため、当該ビーコンのサーチ結果リストＬ２に記載された閾値判定結果はそのまま受信タイミングに対応している。一方、ＳＳＩＤのサーチ結果リストも、サンプルタイミングをそのままレジスタのポジションに対応付けてリスト化したものであるため、当該ＳＳＩＤのサーチ結果リストに記載されたＳＳＩＤ名はそのまま受信タイミングに対応している。したがって、制御回路１０は上記ビーコンのサーチ結果リストＬ２と上記ＳＳＩＤのサーチ結果リストとをポジションが同一のもの同士で対応付ける。
【００４４】
例えば、いま現在のサーチ結果リストＬ２が図５（ｂ）に示すものだったとし、かつＳＳＩＤのサーチ結果リストが図６に示すものだったとする。この場合は、これらのリストを図７に示すようにそのまま対応するポジション同士で対応付けする。したがってこの場合には、サーチウィンドウ内で時刻ｔ1 ，ｔ3 ，ｔ8 ，ｔ9 ，ｔ10において受信検出されたビーコンの検出データ「１」には、それぞれＳＳＩＤサーチ結果リストのａ，ｂ，ｃ，ｄ，ｅが対応付けられる。  
この実施例１によれば、ビーコンの検出結果とＳＳＩＤの検出結果とがその受信時刻をもとに対応付けられるので、正確な対応付け処理が可能となる。
【００４５】
（実施例２）
実施例２は、ＳＳＩＤのサーチ結果とビーコンのサーチ結果とを、ビーコンの受信レベル（受信電力）に基づいて対応付けるものである。  
すなわち、低消費電力無線モジュール２により得られたビーコンの累積加算データはビーコンの受信レベルを表している。そこで、閾値Th＝８を超える累積加算値に対しＳＳＩＤサーチ結果リストのＳＳＩＤ名を順に対応付ける。例えば、いまビーコンの累積加算データが図５（ａ）に示すものだったとし、ＳＳＩＤのサーチ結果リストが図６に示すものだったとする。この場合は、ＳＳＩＤサーチ結果リストのＳＳＩＤ名を図８に示すように累積加算値が閾値Th＝８を超える累積加算値に対し順に対応付ける。したがってこの場合には、サーチウィンドウ内において累積加算値が閾値Th＝８を超えるビーコンの検出データ「１０」に対し、ＳＳＩＤサーチ結果リストのａ，ｂ，ｃ，ｄ，ｅが順に対応付けられる。  
この実施例２によれば、低消費電力無線モジュール２の信号識別部２４１においてビーコンのサーチ結果リストを生成する必要がなくなり、その分信号識別部２４１の処理負荷を軽減すると共に記憶部２４２内のレジスタ数を減らすことが可能となる。
【００４６】
（実施例３）
実施例３は、ＳＳＩＤのサーチ結果とビーコンのサーチ結果とを、その受信順序に基づいて対応付けるものである。  
この処理は例えば以下のように実現される。すなわち、低消費電力無線モジュール２において、ビーコンのサーチ結果リストＬ２中の「１」を単に受信順に並べたリストを生成し、この受信順序リストを制御回路１０に送る。制御回路１０では、サーチ期間に検出されたＳＳＩＤをその受信順に並べたＳＳＩＤの受信順序リストを生成し、この受信順序リストのＳＳＩＤ名を上記ビーコンの受信順序を表す情報に対応付ける。例えば、図９に示すようにビーコンの受信順序を表すＴ１，Ｔ２，Ｔ３，…に対応付けて、ＳＳＩＤ名ａ，ｂ，ｃ，ｄ，ｅをその受信順に対応付ける。  
この実施例３によれば、制御回路１０ではビーコンのサーチ結果及びＳＳＩＤのサーチ結果をその受信順序のみで管理すればよいことになる。このため、レジスタのポジション数を減らしてその分記憶部の構成を小型化することができる。
【００４７】
（実施例４）
実施例４は、ＳＳＩＤのサーチ結果とビーコンのサーチ結果とを、その受信時刻と受信レベルに基づいて対応付けるものである。  
図１０はその対応付けの結果の一例を示すものである。同図に示すように、ビーコンのサーチ結果データには受信時刻が対応するもの同士で、累積加算結果と、ＳＳＩＤのサーチにより得られたＳＳＩＤ名が対応付けられる。このような対応付けリストを用いると、後述するアクセスポイント情報表示処理において移動通信端末本体３に利用可能なアクセスポイントに関する情報を表示する際に、当該利用可能なアクセスポイント名と、当該アクセスポイントからの無線信号の受信品質を表示することが可能となる。
【００４８】
（実施例５）
実施例５は、ＳＳＩＤのサーチ結果とビーコンのサーチ結果とを、その受信順序と受信レベルに基づいて対応付けるものである。  
図１１はその対応付けの結果の一例を示すものである。同図に示すように、ビーコンの受信順序を表すＴ１，Ｔ２，Ｔ３，…に対応付けて、当該ビーコンの累計加算結果とＳＳＩＤ名ａ，ｂ，ｃ，ｄ，ｅをその受信順に対応付ける。このようにすると、当該対応付け結果を表すデータをもとにアクセスポイントからの無線受信品質を表示することができ、さらにレジスタのポジション数を減らしてその分記憶部の小型化することができる。
【００４９】
（５）ビーコンの消失に対する処理
ステップＳ１９により、現在のサーチ結果リストＬ２からビーコンが消失したと判定されると、制御回路１０はステップＳ２６において、過去のサーチ結果リストとＳＳＩＤ名とを対応付けたリストをもとに、現在のサーチ結果リストから消失したアクセスポイントを判別する。そして、ステップＳ２２において、上記消失ビーコンの判別結果をもとに上記過去のサーチ結果リストとＳＳＩＤ名とを対応付けたリストを修正する。
【００５０】
なお、上記ステップＳ１８及びステップＳ２５において新規ビーコン及び消失ビーコンのいずれも検出されなかった場合には、ビーコンのサーチ結果リストには変化がないと判断し、そのままステップＳ２３に移行する。
【００５１】
（６）アクセスポイント情報の表示処理
制御回路１０は、ステップＳ２３において、利用可能なアクセスポイントに関する情報の表示処理を以下のように実行する。  
すなわち、上記ステップＳ２２において新たに作成又は修正された対応付けリストを参照して、現時点で利用可能なアクセスポイントの有無を判定する。そして、利用可能なアクセスポイントがある場合には、ステップＳ２４において当該利用可能なアクセスポイントを表す情報を表示するための通知データを生成し、この生成された通知データを移動通信端末本体３の主制御ユニット３０へ送る。
【００５２】
移動通信端末本体３では、主制御ユニット３０の制御の下で、上記通知データにより表される利用可能なアクセスポイントを表す情報が表示デバイス３１に表示される。このとき、前記対応付け処理の実施例４又は実施例５で述べたように、対応付けリストにビーコンの受信レベルを表す情報（累積加算結果）が含まれている場合には、利用可能なアクセスポイントを表す情報に加えて、当該アクセスポイントからの無線受信品質を表す情報も表示される。
【００５３】
なお、移動通信端末本体３は、利用可能なアクセスポイントからのビーコンを受信できない場合に、利用可能なアクセスポイントがないことを示す情報を表示デバイス３１に表示しても良い。つまり、例えばＳ２５においてビーコンの消失が検出され、当該消失ビーコンが利用可能な基地局からのビーコンであった場合には、移動通信端末本体３は、利用可能な基地局からのビーコンが消失した旨を示す情報を表示する等により通知しても良い。
【００５４】
以上詳述したように第１の実施形態によれば、制御回路１０において、低消費電力無線モジュール２で検出されたビーコンのサーチ結果と、無線モジュール１１より検出されたＳＳＩＤのサーチ結果とが、その受信時刻、受信レベル及び受信順序の少なくとも一つに従い相互に対応付けられて記憶される。したがって、この対応付けリストを参照することで、新規ビーコンが検出された場合以外は無線モジュール１１を起動することなく、その時点で利用可能なアクセスポイントに関する情報を移動通信端末本体３の表示デバイス３１に表示させることができる。
【００５５】
すなわち、低消費電力無線モジュール２を間欠的に動作させるだけで、消費電力の大きい無線モジュール１１を必要時以外動作させずに、利用可能なアクセスポイントに関する情報を保持することができ、これにより消費電力が少なくかつアクセスポイントを利用する上で必要な情報をユーザに常に提示することが可能な移動通信端末装置を提供することができる。
【００５６】
また、一般に低消費電力無線モジュール回路２１に設けられるダウンコンバータ２１２は時定数が長く、一旦飽和すると初期状態に復帰するまでに長い時間がかかる。このため、無線送信直後に低消費電力無線モジュール２においてビーコンサーチを行おうとすると、そのサーチ動作に悪影響が及ぶことがある。しかしながら、第１の実施形態では、無線モジュール１１〜１ｎの送信期間に低消費電力無線モジュール２においてアンテナ２５が低消費電力無線モジュール回路２１から切り離される。このため、無線モジュール１１〜１ｎから送信された無線信号によりダウンコンバータ２１２が飽和する不具合を防止することができ、これにより上記無線送信動作の直後であってもビーコンサーチを正確に行うことが可能となる。なお、上記ＲＦ信号受信部２１１の低雑音増幅器は、所望受信感度によっては不要であり、直接２１２ダウンコンバータで受信することもできる。
【００５７】
［第２の実施形態］
図１２は、第２の実施形態に係る移動通信端末装置の無線ユニット部分の構成を示す図である。この実施形態に係る無線ユニットは、無線モジュール１１と低消費電力無線モジュール２とが共有する１個のアンテナ４を備え、制御回路１０の制御によりアンテナ切替スイッチ５を切り替えることにより、上記無線モジュール１１及び低消費電力無線モジュール２のいずれか一方をアンテナ４に接続するように構成したものである。
【００５８】
図１３は、この第２の実施形態に係る移動通信端末装置の低消費電力無線モジュール２と無線モジュール１１の動作期間の一例を示すものである。同図において、低消費電力無線モジュール２によりビーコンサーチを行う期間には、アンテナ切替スイッチ５が低消費電力無線モジュール２に切り替わってビーコンサーチ処理が行われる。そして、このビーコンサーチ処理により新規ビーコンが検出されると、アンテナ切替スイッチ５が無線モジュール１１に切り替わり、無線モジュール１１によりＳＳＩＤのサーチ処理が行われる。以上の動作は制御回路１０により制御される。
【００５９】
なお、上記ビーコンサーチ期間により得られたビーコンのサーチ結果と、上記ＳＳＩＤのサーチ期間において得られたＳＳＩＤのサーチ結果とを対応付けるための一連の処理については、第１の実施形態において図３に沿って説明した処理と同じである。  
このように第２の実施形態であれば、１個のアンテナ４を無線モジュール１１と低消費電力無線モジュール２とで共有するタイプの無線モジュールにおいても、ビーコンのサーチ結果とＳＳＩＤサーチ結果との対応付け処理が可能である。
【００６０】
［第３の実施形態］
図１４は、第３の実施形態に係る移動通信端末装置の無線ユニット部分の構成を示す図である。この実施形態に係る無線ユニットは、無線モジュール１１と低消費電力無線モジュール２とが共有する１個のアンテナ４を備え、制御回路１０の制御の下でアンテナ切替スイッチ６を切り替えることにより上記無線モジュール１１及び低消費電力無線モジュール２のいずれか一方をアンテナ４に接続するように構成されている。また、分配器７を備え、上記アンテナ切替スイッチ６によりアンテナ４をこの分配器７に接続することにより、アンテナ４で受信された無線信号を分配器７により無線モジュール１１と低消費電力無線モジュール２の両方に分配するように構成されている。なお、上記切替スイッチ６の切替制御は制御回路１０により行われる。
【００６１】
このような構成であるから、切替スイッチ６を分配器７に切り替えると、アンテナ４により受信された無線信号は分配器７により分岐されて無線モジュール１１と低消費電力無線モジュール２の両方に入力される。このため、低消費電力無線モジュール２によるビーコンサーチにおいて新規ビーコンが検出された場合に、制御回路１０の制御の下で上記切替スイッチ６を分配器７に切り替えることにより、無線モジュール１１によるＳＳＩＤのサーチ処理と低消費電力無線モジュール２によるビーコンの再サーチ処理とを同一期間に並行して実行することが可能となる。  
この第３の実施形態によれば、同一期間に取得されたビーコンのサーチ結果とＳＳＩＤのサーチ結果とを対応付けることができる。
【００６２】
［第４の実施形態］
前記第１の実施形態では、無線モジュール群１及び低消費電力無線モジュール２を移動通信端末装置内に設けた場合を例示した。これに対し第４の実施形態は、無線モジュール１１、低消費電力無線モジュール２及び制御回路１０を備えた無線ユニットを統合無線モジュールとして独立して構成したものである。
【００６３】
図１４は、この統合無線モジュール９の構成を示すブロック図である。同図に示すように統合無線モジュール９は、無線モジュール１１と、低消費電力無線モジュール２と、制御回路１０と、アンテナ４と、アンテナ切替スイッチ５と、発光素子８とを備えている。制御回路１０は、前記図３に示したように、ビーコンのサーチ結果とＳＳＩＤのサーチ結果とを対応付けたデータに基づいて、利用可能なアクセスポイントの有無をステップＳ２３により判定する。そして、利用可能なアクセスポイントがある場合には、ステップＳ２４においてその旨をユーザに提示するための表示信号を生成し、この表示信号を発光素子８へ出力する。発光素子８は例えばＬＥＤからなり、上記表示信号を受信すると点灯する。  
したがってこの第４の実施形態によれば、移動通信端末装置を動作させなくても、統合無線モジュール９によりアクセスポイントに関する情報を生成して提示することが可能となる。このため、移動通信端末装置による消費電力をさらに低減することができる。
【００６４】
なお、発光素子８として発光色を可変することができる素子を使用し、第１の実施形態の実施例４及び実施例５で述べたように、利用可能なアクセスポイントからのビーコンの受信レベルに応じて上記発光素子８の発光色を異ならせるようにしてもよい。このようにすると、ユーザは利用可能なアクセスポイントの有無だけでなく、当該アクセスポイントの無線受信品質を確認することが可能となる。なお、発光素子８は１個に限らず複数個設け、この複数の発光素子によりアクセスポイントの無線受信品質や利用可能なアクセスポイントの数を表示するようにしてもよい。  
なお、ビーコン周期は、典型的な例について述べたものであり、検知対象とする無線システムによっては、異なる報知情報周期の場合であっても、同様に適用することができる。
【００６５】
［その他の実施形態］
以上、いくつかの実施形態、実施例及び変形例を説明したが、これらの実施形態、実施例及び変形例はいずれも例として提示したものであり、発明の範囲を限定することは意図していない。これら新規な実施形態、実施例及び変形例は、その他の様々な形態で実施されることが可能であり、発明の要旨を逸脱しない範囲で、種々の省略、置き換え、変更を行うことができる。これら実施形態、実施例及び変形例は、発明の範囲や要旨に含まれるとともに、特許請求の範囲に記載された発明とその均等の範囲に含まれる。
【符号の説明】
【００６６】
１…無線モジュール群、２…低消費電力無線モジュール、３…移動通信端末本体、４…共有アンテナ、５，６…アンテナ切替スイッチ、７…分配器、８…発光素子、９…統合無線モジュール、１０…制御回路、１１〜１ｎ…無線モジュール、２１…低消費電力無線モジュール回路、２４…ディジタル信号処理部、２５…低消費電力無線モジュール用のアンテナ、２６…アンテナスイッチ、１５１〜１５ｎ…無線モジュール用のアンテナ。
【図１】
2012165250.tif 000003
【図２】
2012165250.tif 000004
【図３】
2012165250.tif 000005
【図４】
2012165250.tif 000006
【図５】
2012165250.tif 000007
【図６】
2012165250.tif 000008
【図７】
2012165250.tif 000009
【図８】
2012165250.tif 000010
【図９】
2012165250.tif 000011
【図１０】
2012165250.tif 000012
【図１１】
2012165250.tif 000013
【図１２】
2012165250.tif 000014
【図１３】
2012165250.tif 000015
【図１４】
2012165250.tif 000016
【図１５】
2012165250.tif 000017
【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
サービスエリアを形成する基地局との間で無線通信を行う無線ユニットにおいて、
前記基地局から送信される当該基地局の識別情報を受信する第１の無線モジュールと、
前記第１の無線モジュールより少ない消費電力により動作し、前記基地局から送信される標識信号を受信する第２の無線モジュールと、
前記第１及び第２の無線モジュールと接続される制御モジュールと
を具備し、
前記第２の無線モジュールは、
前記標識信号の受信電力を検出し、この検出された受信電力が予め設定された閾値以上か否かを判定する判定器と、
前記受信電力が閾値以上と判定された標識信号が検出された場合に、当該検出された標識信号を表す情報を含む標識検出情報を前記制御モジュールへ出力する出力インタフェースと
を備え、
前記制御モジュールは、
前記第２の無線モジュールから出力された標識検出情報を受け取る第１のコントローラと、
前記受け取った標識検出情報に新規の標識信号を表す情報が含まれている場合に、前記第１の無線モジュールを一定期間動作させる第２のコントローラと、
前記動作期間中に前記第１の無線モジュールにより受信された識別情報を、当該第１の無線モジュールから受け取る第３のコントローラと、
前記受け取った識別情報と、前記受け取った標識検出情報に含まれる標識信号を表す情報とを対応付け、その対応関係を表す情報を記憶する第４のコントローラと
を備える無線ユニット。
【請求項２】
前記第２の無線モジュールの出力インタフェースは、前記検出された標識信号を表す情報として、当該標識信号の受信電力値、受信タイミング及び受信順序のうち少なくとも一つを表す情報を標識検出情報に含めて前記制御モジュールへ出力し、
前記制御モジュールの第４のコントローラは、前記受け取った識別情報と前記検出された標識信号を表す情報とを、当該標識信号の受信電力値、受信タイミング及び受信順序のうち少なくとも一つを表す情報に基づいて対応付けるものである請求項１記載の無線ユニット。
【請求項３】
前記制御モジュールは、
前記記憶された対応関係を表す情報に基づいて前記基地局の利用の可否を判定する第５のコントローラと、
前記基地局の利用の可否の判定結果を表す情報を表示する表示器と
を、さらに備える請求項１記載の無線ユニット。
【請求項４】
前記制御モジュールに移動通信端末装置が接続される場合に、
前記制御モジュールは、
前記記憶された対応関係を表す情報に基づいて前記基地局の利用の可否を判定し、その判定結果を表す通知情報を前記移動通信端末装置へ出力する第６のコントローラを
さらに備える請求項１記載の無線ユニット。
【請求項５】
アンテナと、
前記第１及び第２の無線モジュールのいずれか一方を前記アンテナに接続する切替回路と
をさらに具備し、
前記制御モジュールは、
前記第１の無線モジュールの動作期間中に当該第１の無線モジュールを前記アンテナに接続し、その他の期間に前記第２の無線モジュールを前記アンテナに接続するべく前記切替回路を切替制御する第７のコントローラを
さらに備える請求項１記載の無線ユニット。
【請求項６】
アンテナと、
このアンテナにより受信された無線信号を前記第１及び第２の無線モジュールに分配する分配回路と
をさらに具備し、
前記制御モジュールの第４のコントローラは、前記第１の無線モジュールの動作期間中に当該第１の無線モジュールにより受信された識別情報と、前記第１の無線モジュールの動作期間と同一期間に前記第２の無線モジュールにより検出された標識信号を表す情報とを対応付ける請求項１記載の無線ユニット。
【請求項７】
前記制御モジュールは、
信号の送信を要求する無線信号を前記第１の無線モジュールから前記基地局に向けて送信させる第８のコントローラと、
前記信号の送信を要求する無線信号に応答して前記基地局から送信され前記第１の無線モジュールにより受信された識別情報と、前記信号の送信を要求する無線信号に応答して前記基地局から送信され前記第２の無線モジュールにより検出された標識信号を表す情報とを対応付ける第９のコントローラと
を、さらに備える請求項１記載の無線ユニット。
【請求項８】
前記第２の無線モジュールとアンテナとの間に設けられたスイッチを、
さらに具備し、
前記制御モジュールは、
前記第１の無線モジュールが無線信号を送信する期間に、前記第２の無線モジュールを前記アンテナから切り離すように前記スイッチを制御する第１０のコントローラを、
さらに備える請求項１記載の無線ユニット。
【請求項９】
前記第２の無線モジュールによる標識信号の受信感度を、前記第１の無線モジュールによる識別情報の受信感度より低く設定した請求項１記載の無線ユニット。
【請求項１０】
サービスエリアを形成する基地局との間で無線通信を行う移動通信端末装置において、
前記基地局から送信される当該基地局の識別情報を受信する第１の無線モジュールと、
前記第１の無線モジュールより少ない消費電力により動作し、前記基地局から送信される標識信号を受信する第２の無線モジュールと、
前記第１及び第２の無線モジュールと接続される制御モジュールと、
前記制御モジュールに接続される表示モジュールと
を具備し、
前記第２の無線モジュールは、
前記標識信号の受信電力を検出し、この検出された受信電力が予め設定された閾値以上か否かを判定する判定器と、
前記受信電力が閾値以上と判定された標識信号が検出された場合に、当該検出された標識信号を表す情報を含む標識検出情報を前記制御モジュールへ出力する出力インタフェースと
を備え、
前記制御モジュールは、
前記第２の無線モジュールから出力された標識検出情報を受け取る第１のコントローラと、
前記受け取った標識検出情報に新規の標識信号を表す情報が含まれている場合に、前記第１の無線モジュールを一定期間動作させる第２のコントローラと、
前記動作期間中に前記第１の無線モジュールにより受信された識別情報を、当該第１の無線モジュールから受け取る第３のコントローラと、
前記受け取った識別情報と、前記受け取った標識検出情報に含まれる標識信号を表す情報とを対応付け、その対応関係を表す情報を記憶する第４のコントローラと、
前記記憶された対応関係を表す情報に基づいて前記基地局の利用の可否を判定する第５のコントローラと、
前記基地局の利用の可否の判定結果を表す情報を前記表示モジュールに表示させる第６のコントローラと
を備える移動通信端末装置。
【請求項１１】
前記第２の無線モジュールの出力インタフェースは、前記検出された標識信号を表す情報として、当該標識信号の受信電力値、受信タイミング及び受信順序のうち少なくとも一つを表す情報を標識検出情報に含めて前記制御モジュールへ出力し、
前記制御モジュールの第４のコントローラは、前記受け取った識別情報と前記検出された標識信号を表す情報とを、当該標識信号の受信電力値、受信タイミング及び受信順序のうち少なくとも一つを表す情報に基づいて対応付けるものである請求項１０記載の移動通信端末装置。
【請求項１２】
アンテナと、
前記第１及び第２の無線モジュールのいずれか一方を前記アンテナに接続する切替回路と
を、さらに具備し、
前記制御モジュールは、
前記第１の無線モジュールの動作期間中に当該第１の無線モジュールを前記アンテナに接続し、その他の期間に前記第２の無線モジュールを前記アンテナに接続するべく前記切替回路を切替制御する第７のコントローラを、
さらに備える請求項１０記載の移動通信端末装置。
【請求項１３】
アンテナと、
このアンテナにより受信された無線信号を前記第１及び第２の無線モジュールに分配する分配回路と
を、さらに具備し、
前記制御モジュールの第４のコントローラは、前記第１の無線モジュールの動作期間中に当該第１の無線モジュールにより受信された識別情報と、前記第１の無線モジュールの動作期間と同一期間に前記第２の無線モジュールにより検出された標識信号を表す情報とを対応付ける請求項１０記載の移動通信端末装置。
【請求項１４】
前記制御モジュールは、
信号の送信を要求する無線信号を前記第１の無線モジュールから前記基地局に向けて送信させる第８のコントローラと、
前記信号の送信を要求する無線信号に応答して前記基地局から送信され前記第１の無線モジュールにより受信された識別情報と、前記信号の送信を要求する無線信号に応答して前記基地局から送信され前記第２の無線モジュールにより検出された標識信号を表す情報とを対応付ける第９のコントローラと
を、さらに備える請求項１０記載の移動通信端末装置。
【請求項１５】
前記第２の無線モジュールとアンテナとの間に設けられたスイッチを、さらに具備し、
前記制御モジュールは、
前記第１の無線モジュールが無線信号を送信する期間に、前記第２の無線モジュールを前記アンテナから切り離すように前記スイッチを制御する第１０のコントローラを、
さらに備える請求項１０記載の移動通信端末装置。
【請求項１６】
前記第２の無線モジュールによる標識信号の受信感度を、前記第１の無線モジュールによる識別情報の受信感度より低く設定した請求項１０記載の移動通信端末装置。
【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
サービスエリアを形成する基地局との間で無線通信を行う無線ユニットにおいて、
前記基地局から送信される当該基地局の識別情報を受信する第１の無線モジュールと、
前記第１の無線モジュールより少ない消費電力により動作し、前記基地局から送信される標識信号を受信する第２の無線モジュールと、
前記第１及び第２の無線モジュールと接続される制御モジュールと
を具備し、
前記第２の無線モジュールは、
前記標識信号の受信電力を検出し、この検出された受信電力が予め設定された閾値以上か否かを判定する判定器と、
前記受信電力が閾値以上と判定された標識信号が検出された場合に、当該検出された標識信号を表す情報を含む標識検出情報を前記制御モジュールへ出力する出力インタフェースと
を備え、
前記制御モジュールは、
前記第２の無線モジュールから標識検出情報が出力されるごとに当該標識検出情報を受け取ってメモリに記憶する第１のコントローラと、
前記メモリに記憶された情報をもとに、第１のタイミングで得られた標識検出情報と、それより前の第２のタイミングで得られた標識検出情報とを比較して、前記第１のタイミングで得られた標識検出情報に新規の標識信号を表す情報が含まれているか否かを判定する第２のコントローラと、
前記第１のタイミングで得られた標識検出情報に新規の標識信号を表す情報が含まれていると判定された場合に、前記第１の無線モジュールを一定期間動作させる第３のコントローラと、
前記動作期間中に前記第１の無線モジュールにより受信された識別情報を、当該第１の無線モジュールから受け取る第４のコントローラと、
前記受け取った識別情報と、前記受け取った標識検出情報に含まれる標識信号を表す情報とを対応付け、その対応関係を表す情報を記憶する第５のコントローラと
を備える無線ユニット。
【請求項２】
前記第２の無線モジュールの出力インタフェースは、前記検出された標識信号を表す情報として、当該標識信号の受信電力値、受信タイミング及び受信順序のうち少なくとも一つを表す情報を標識検出情報に含めて前記制御モジュールへ出力し、
前記制御モジュールの第４のコントローラは、前記受け取った識別情報と前記検出された標識信号を表す情報とを、当該標識信号の受信電力値、受信タイミング及び受信順序のうち少なくとも一つを表す情報に基づいて対応付けるものである請求項１記載の無線ユニット。
【請求項３】
前記制御モジュールは、
前記記憶された対応関係を表す情報に基づいて前記基地局の利用の可否を判定する第６のコントローラと、
前記基地局の利用の可否の判定結果を表す情報を表示する表示器と
を、さらに備える請求項１記載の無線ユニット。
【請求項４】
前記制御モジュールに移動通信端末装置が接続される場合に、
前記制御モジュールは、
前記記憶された対応関係を表す情報に基づいて前記基地局の利用の可否を判定し、その判定結果を表す通知情報を前記移動通信端末装置へ出力する第７のコントローラを
さらに備える請求項１記載の無線ユニット。
【請求項５】
アンテナと、
前記第１及び第２の無線モジュールのいずれか一方を前記アンテナに接続する切替回路と
をさらに具備し、
前記制御モジュールは、
前記第１の無線モジュールの動作期間中に当該第１の無線モジュールを前記アンテナに接続し、その他の期間に前記第２の無線モジュールを前記アンテナに接続するべく前記切替回路を切替制御する第８のコントローラを
さらに備える請求項１記載の無線ユニット。
【請求項６】
アンテナと、
このアンテナにより受信された無線信号を前記第１及び第２の無線モジュールに分配する分配回路と
をさらに具備し、
前記制御モジュールの第５４のコントローラは、前記第１の無線モジュールの動作期間中に当該第１の無線モジュールにより受信された識別情報と、前記第１の無線モジュールの動作期間と同一期間に前記第２の無線モジュールにより検出された標識信号を表す情報とを対応付ける請求項１記載の無線ユニット。
【請求項７】
前記制御モジュールは、
信号の送信を要求する無線信号を前記第１の無線モジュールから前記基地局に向けて送信させる第９のコントローラと、
前記信号の送信を要求する無線信号に応答して前記基地局から送信され前記第１の無線モジュールにより受信された識別情報と、前記信号の送信を要求する無線信号に応答して前記基地局から送信され前記第２の無線モジュールにより検出された標識信号を表す情報とを対応付ける第１０のコントローラと
を、さらに備える請求項１記載の無線ユニット。
【請求項８】
前記第２の無線モジュールとアンテナとの間に設けられたスイッチを、
さらに具備し、
前記制御モジュールは、
前記第１の無線モジュールが無線信号を送信する期間に、前記第２の無線モジュールを前記アンテナから切り離すように前記スイッチを制御する第１１のコントローラを、
さらに備える請求項１記載の無線ユニット。
【請求項９】
前記第２の無線モジュールによる標識信号の受信感度を、前記第１の無線モジュールによる識別情報の受信感度より低く設定した請求項１記載の無線ユニット。
【請求項１０】
サービスエリアを形成する基地局との間で無線通信を行う移動通信端末装置において、
前記基地局から送信される当該基地局の識別情報を受信する第１の無線モジュールと、
前記第１の無線モジュールより少ない消費電力により動作し、前記基地局から送信される標識信号を受信する第２の無線モジュールと、
前記第１及び第２の無線モジュールと接続される制御モジュールと、
前記制御モジュールに接続される表示モジュールと
を具備し、
前記第２の無線モジュールは、
前記標識信号の受信電力を検出し、この検出された受信電力が予め設定された閾値以上か否かを判定する判定器と、
前記受信電力が閾値以上と判定された標識信号が検出された場合に、当該検出された標識信号を表す情報を含む標識検出情報を前記制御モジュールへ出力する出力インタフェースと
を備え、
前記制御モジュールは、
前記第２の無線モジュールから標識検出情報が出力されるごとに当該標識検出情報を受け取ってメモリに記憶する第１のコントローラと、
前記メモリに記憶された情報をもとに、第１のタイミングで得られた標識検出情報と、それより前の第２のタイミングで得られた標識検出情報とを比較して、前記第１のタイミングで得られた標識検出情報に新規の標識信号を表す情報が含まれているか否かを判定する第２のコントローラと、
前記第１のタイミングで得られた標識検出情報に新規の標識信号を表す情報が含まれていると判定された場合に、前記第１の無線モジュールを一定期間動作させる第３のコントローラと、
前記動作期間中に前記第１の無線モジュールにより受信された識別情報を、当該第１の無線モジュールから受け取る第４のコントローラと、
前記受け取った識別情報と、前記受け取った標識検出情報に含まれる標識信号を表す情報とを対応付け、その対応関係を表す情報を記憶する第５のコントローラと、
前記記憶された対応関係を表す情報に基づいて前記基地局の利用の可否を判定する第６のコントローラと、
前記基地局の利用の可否の判定結果を表す情報を前記表示モジュールに表示させる第７のコントローラと
を備える移動通信端末装置。
【請求項１１】
前記第２の無線モジュールの出力インタフェースは、前記検出された標識信号を表す情報として、当該標識信号の受信電力値、受信タイミング及び受信順序のうち少なくとも一つを表す情報を標識検出情報に含めて前記制御モジュールへ出力し、
前記制御モジュールの第５のコントローラは、前記受け取った識別情報と前記検出された標識信号を表す情報とを、当該標識信号の受信電力値、受信タイミング及び受信順序のうち少なくとも一つを表す情報に基づいて対応付けるものである請求項１０記載の移動通信端末装置。
【請求項１２】
アンテナと、
前記第１及び第２の無線モジュールのいずれか一方を前記アンテナに接続する切替回路と
を、さらに具備し、
前記制御モジュールは、
前記第１の無線モジュールの動作期間中に当該第１の無線モジュールを前記アンテナに接続し、その他の期間に前記第２の無線モジュールを前記アンテナに接続するべく前記切替回路を切替制御する第８のコントローラを、
さらに備える請求項１０記載の移動通信端末装置。
【請求項１３】
アンテナと、
このアンテナにより受信された無線信号を前記第１及び第２の無線モジュールに分配する分配回路と
を、さらに具備し、
前記制御モジュールの第５のコントローラは、前記第１の無線モジュールの動作期間中に当該第１の無線モジュールにより受信された識別情報と、前記第１の無線モジュールの動作期間と同一期間に前記第２の無線モジュールにより検出された標識信号を表す情報とを対応付ける請求項１０記載の移動通信端末装置。
【請求項１４】
前記制御モジュールは、
信号の送信を要求する無線信号を前記第１の無線モジュールから前記基地局に向けて送信させる第９のコントローラと、
前記信号の送信を要求する無線信号に応答して前記基地局から送信され前記第１の無線モジュールにより受信された識別情報と、前記信号の送信を要求する無線信号に応答して前記基地局から送信され前記第２の無線モジュールにより検出された標識信号を表す情報とを対応付ける第１０のコントローラと
を、さらに備える請求項１０記載の移動通信端末装置。
【請求項１５】
前記第２の無線モジュールとアンテナとの間に設けられたスイッチを、さらに具備し、
前記制御モジュールは、
前記第１の無線モジュールが無線信号を送信する期間に、前記第２の無線モジュールを前記アンテナから切り離すように前記スイッチを制御する第１１のコントローラを、
さらに備える請求項１０記載の移動通信端末装置。
【請求項１６】
前記第２の無線モジュールによる標識信号の受信感度を、前記第１の無線モジュールによる識別情報の受信感度より低く設定した請求項１０記載の移動通信端末装置。